(57)【要約】【課題】  原稿に対する外周領域およびブックセンター領域の位置指定を行うときに複写動作を事前に行う必要がなく、外周領域およびブックセンター領域に対応する部分が可視画像となって画像形成されるのを防止することができ、無駄な現像剤および記録紙の消費を抑制することが可能な画像形成装置を提供する。【解決手段】  表示手段８０７は、開状態画像形成モードである場合に、スキャナ部３が読み取った画像データを、印刷領域およびブックセンター領域の指定指示入力が可能な状態で表示する。変換データ生成部９０５は、印刷領域設定部９０１が設定した印刷領域以外の外周領域と、ブックセンター領域設定部９０２が設定したブックセンター領域とに対応した領域の可視画像データを、下地の色と同じ色の画像データに変換して変換データを生成する。【選択図】      図２
2010130117.tif 000002
【特許請求の範囲】
【請求項１】
原稿載置台に載置される原稿に光を照射し、原稿からの反射光により生成される画像データに基づいて、記録媒体に対して画像を形成する画像形成装置であって、
前記原稿載置台に載置される原稿を上方から覆う上部カバーが開状態のときの画像形成モードである開状態画像形成モードと、前記上部カバーが閉状態のときの画像形成モードである閉状態画像形成モードとを備え、
前記開状態画像形成モードであるときに、印刷領域と、見開いた状態の書籍原稿の頁間の継ぎ目部分に相当する領域であるブックセンター領域との指定入力が可能な状態で、前記画像データを表示する表示手段と、
前記表示手段に表示される前記画像データに対する前記印刷領域の指定入力に対応した領域を、複写物の印刷領域として設定する印刷領域設定部と、
前記表示手段に表示される前記画像データに対する前記ブックセンター領域の指定入力に対応した領域を、複写物のブックセンター領域として設定するブックセンター領域設定部と、
前記表示手段に表示される前記画像データのうち、前記印刷領域設定部が設定した印刷領域以外の外周領域と、前記ブックセンター領域設定部が設定したブックセンター領域とに対応した領域の可視画像データを、下地の色と同じ色の画像データに変換して変換データを生成する変換データ生成部と、
前記変換データに基づいて生成される静電潜像を担持する像担持体と、前記像担持体上に担持される静電潜像に対して現像剤を供給して可視画像を形成する現像手段と、可視画像を記録媒体に転写する転写手段とを有して、記録媒体に画像を形成して複写物を得る画像形成ユニットとを含んで構成されることを特徴とする画像形成装置。
【請求項２】
前記表示手段に表示される前記画像データに対して、複数の前記印刷領域および前記ブックセンター領域を指定する入力がされたとき、
前記印刷領域設定部は、複数の前記印刷領域の指定にそれぞれ対応した領域を、それぞれ区別された印刷領域として設定し、
前記ブックセンター領域設定部は、複数の前記ブックセンター領域の指定にそれぞれ対応した領域を、それぞれ区別されたブックセンター領域として設定し、
前記変換データ生成部は、前記印刷領域設定部がそれぞれ区別して設定した印刷領域以外の外周領域と、前記ブックセンター領域設定部がそれぞれ区別して設定したブックセンター領域とに対応した領域の可視画像データを、下地の色と同じ色の画像データに変換して変換データを生成することを特徴とする請求項１に記載の画像形成装置。
【請求項３】
前記上部カバーが開状態であるか否かを検出する検出手段をさらに備え、
前記検出手段による検出結果に基づいて、開状態画像形成モードと閉状態画像形成モードとが、自動的に切替わるように構成されることを特徴とする請求項１または２に記載の画像形成装置。
【発明の詳細な説明】
【技術分野】
【０００１】
本発明は、原稿載置台に載置される原稿に対して光を照射し、原稿からの反射光により生成される画像データに基づいて、画像形成を行う画像形成装置に関する。
【背景技術】
【０００２】
複写機等の画像形成装置では、原稿載置台に載置された原稿に対して光を照射し、原稿からの反射光により生成される画像データに基づいて画像形成を行い、複写物を得る。このような画像形成装置では、原稿載置台に載置された原稿を上方から覆う上部カバーを完全に閉めた状態で、原稿に対して光を照射することによって、原稿からの反射光が局部的に弱くなるのを防止でき、出力画像の美感を良好に保つことができる。
【０００３】
しかしながら、原稿載置台に載置された分厚い見開きの書籍などの原稿に対して光を照射して複写物を得る場合には、上部カバーが完全には閉まらず、原稿載置台の原稿載置面から浮き上がっている、原稿の外周領域（複写物の複写する必要がある領域以外の周りの領域）およびブックセンター領域（見開いた状態の書籍原稿の頁間の継ぎ目部分に相当する領域）に対応する領域部分では、原稿からの反射光が弱くなる。このような、原稿からの反射光が弱くなる外周領域およびブックセンター領域に対応する複写物の領域部分は、黒い影（すなわち、可視画像）となってしまう。
【０００４】
外周領域およびブックセンター領域に対応する複写物の領域部分が黒い影となって、可視画像が形成されてしまうのを防止する機能である影消去機能を有する画像処理装置が知られている。図７は、従来技術の影消去機能を有する画像処理装置を備えた画像形成装置における、操作パネル９５０の一例を示す図である。
【０００５】
操作パネル９５０は、影消去機能を実行する指示を入力する指示入力面を有しており、指示入力面上で押圧操作することによって、指示を入力するようになっている。操作パネル９５０の指示入力面には、枠消去指示ボタン９５１、センター消去指示ボタン９５２、枠およびセンター消去指示ボタン９５３などの指示入力ボタンが配置されている。
【０００６】
従来技術の影消去機能を有する画像処理装置では、枠消去指示ボタン９５１が押圧されて指示が入力された場合、原稿からの反射光に基づいて生成される画像データに対して、外周領域に対応した領域の可視画像データを白画像データに変換するようになっている。これによって、本来画像形成されるべきではない外周領域に対応する部分が、黒い影となって画像形成されるのを防止することができる。
【０００７】
また、センター消去指示ボタン９５２が押圧されて指示が入力された場合、原稿からの反射光に基づいて生成される画像データに対して、ブックセンター領域に対応した領域の可視画像データを白画像データに変換するようになっている。これによって、ブックセンター領域に対応する部分が、黒い影となって画像形成されるのを防止することができる。
【０００８】
また、枠およびセンター消去指示ボタン９５３が押圧されて指示が入力された場合、原稿からの反射光に基づいて生成される画像データに対して、外周領域およびブックセンター領域に対応した領域の可視画像データを白画像データに変換するようになっている。これによって、外周領域およびブックセンター領域に対応する部分が、黒い影となって画像形成されるのを防止することができる。
【０００９】
また、特許文献１には、原稿載置台に載置された原稿に対して走査しながら光を照射する光源を有する光学系が、少なくとも２回以上原稿を走査するとともに、走査ごとに原稿に対する光源の照射角度を変更する照射角度変更走査手段と、光学系の走査ごとに受光された原稿による反射光の差異に基づいて、所定の影を消去する処理を行う影消去手段とを備える画像処理装置が開示されている。特許文献１に開示される画像処理装置によれば、複数の走査ごとに受光された原稿による反射光の差異に基づいて、ブックセンター領域を検知し、影消去手段がブックセンター領域の黒い影を消去する処理を行うので、ブックセンター領域が記録紙の中央部以外に形成される場合であっても、ブックセンター領域に対応する部分が、黒い影となって画像形成されるのを防止することができる。
【００１０】
【特許文献１】特開２００３−２５９０８６号公報
【発明の開示】
【発明が解決しようとする課題】
【００１１】
しかしながら、上記の従来技術の影消去機能を有する画像処理装置では、影消去させたい外周領域およびブックセンター領域の、原稿に対する位置を指定する場合に、事前に画像形成しておいた複写物に黒い影として形成される外周領域およびブックセンター領域の領域寸法を測定する必要がある。そのため、本来必要でない複写動作を行わなくてはならず、現像剤および記録紙を無駄に多く消費してしまう。
【００１２】
また、厚みおよび大きさの異なる見開かれた状態の複数の書籍原稿を複写するときには、大きさの小さい方の書籍原稿に対応した外周領域の大きさが大きく、厚みの大きい方の書籍原稿に対応したブックセンター領域の大きさが大きくなる。
【００１３】
これに対して、従来技術の影消去機能を有する画像処理装置では、原稿に対する外周領域の位置は、事前に画像形成しておいた複写物に形成される外周領域の領域寸法に基づいて、記録紙の周縁端部からの長さを、枠消去幅入力項９５４に入力することによって指定することになる。そして、原稿に対するブックセンター領域の位置は、事前に画像形成しておいた複写物に形成されるブックセンター領域の領域寸法に基づいて、記録紙の中央部における消去すべき所望の幅を、センター消去幅入力項９５５に入力することによって指定することになる。そのため、原稿に対する外周領域の位置指定は、記録紙の周縁端部からの一定の長さに限られており、ブックセンター領域の位置指定は、記録紙の中央部における一定の幅に限られている。したがって、従来技術の影消去機能を有する画像処理装置では、厚みおよび大きさの異なる原稿に対応する、領域の大きさの異なる外周領域およびブックセンター領域に対しては、可視画像となって画像形成されるのを防止することができない。
【００１４】
また、特許文献１に開示される画像処理装置では、前述したように、ブックセンター領域が記録紙の中央部以外に形成される場合であっても、ブックセンター領域に対応する部分が可視画像となって画像形成されるのを防止することができるが、外周領域に対しては可視画像となって画像形成されるのを防止することができず、無駄な現像剤の消費を抑制することができない。
【００１５】
したがって本発明の目的は、原稿に対する外周領域およびブックセンター領域の位置指定を行うときに複写動作を事前に行う必要がなく、外周領域およびブックセンター領域に対応する部分が可視画像となって画像形成されるのを防止することができ、無駄な現像剤および記録紙の消費を抑制することが可能な画像形成装置を提供することである。
【課題を解決するための手段】
【００１６】
本発明は、原稿載置台に載置される原稿に光を照射し、原稿からの反射光により生成される画像データに基づいて、記録媒体に対して画像を形成する画像形成装置であって、
前記原稿載置台に載置される原稿を上方から覆う上部カバーが開状態のときの画像形成モードである開状態画像形成モードと、前記上部カバーが閉状態のときの画像形成モードである閉状態画像形成モードとを備え、
前記開状態画像形成モードであるときに、印刷領域と、見開いた状態の書籍原稿の頁間の継ぎ目部分に相当する領域であるブックセンター領域との指定入力が可能な状態で、前記画像データを表示する表示手段と、
前記表示手段に表示される前記画像データに対する前記印刷領域の指定入力に対応した領域を、複写物の印刷領域として設定する印刷領域設定部と、
前記表示手段に表示される前記画像データに対する前記ブックセンター領域の指定入力に対応した領域を、複写物のブックセンター領域として設定するブックセンター領域設定部と、
前記表示手段に表示される前記画像データのうち、前記印刷領域設定部が設定した印刷領域以外の外周領域と、前記ブックセンター領域設定部が設定したブックセンター領域とに対応した領域の可視画像データを、下地の色と同じ色の画像データに変換して変換データを生成する変換データ生成部と、
前記変換データに基づいて生成される静電潜像を担持する像担持体と、前記像担持体上に担持される静電潜像に対して現像剤を供給して可視画像を形成する現像手段と、可視画像を記録媒体に転写する転写手段とを有して、記録媒体に画像を形成して複写物を得る画像形成ユニットとを含んで構成されることを特徴とする画像形成装置である。
【００１７】
また本発明は、前記表示手段に表示される前記画像データに対して、複数の前記印刷領域および前記ブックセンター領域を指定する入力がされたとき、
前記印刷領域設定部は、複数の前記印刷領域の指定にそれぞれ対応した領域を、それぞれ区別された印刷領域として設定し、
前記ブックセンター領域設定部は、複数の前記ブックセンター領域の指定にそれぞれ対応した領域を、それぞれ区別されたブックセンター領域として設定し、
前記変換データ生成部は、前記印刷領域設定部がそれぞれ区別して設定した印刷領域以外の外周領域と、前記ブックセンター領域設定部がそれぞれ区別して設定したブックセンター領域とに対応した領域の可視画像データを、下地の色と同じ色の画像データに変換して変換データを生成することを特徴とする。
【００１８】
また本発明は、前記上部カバーが開状態であるか否かを検出する検出手段をさらに備え、
前記検出手段による検出結果に基づいて、開状態画像形成モードと閉状態画像形成モードとが、自動的に切替わるように構成されることを特徴とする。
【発明の効果】
【００１９】
本発明によれば、原稿載置台に載置される原稿に光を照射し、原稿からの反射光により生成される画像データに基づいて、記録媒体に対して画像を形成する画像形成装置である。そして、本発明の画像形成装置は、原稿載置台に載置される原稿を上方から覆う上部カバーが開状態のときの画像形成モードである開状態画像形成モードと、上部カバーが閉状態のときの画像形成モードである閉状態画像形成モードとを備える。また、画像形成装置は、表示手段と、印刷領域設定部と、ブックセンター領域設定部と、変換データ生成部と、画像形成ユニットとを含んで構成される。
【００２０】
表示手段は、開状態画像形成モードであるときに、印刷領域と、見開いた状態の書籍原稿の頁間の継ぎ目部分に相当する領域であるブックセンター領域との指定入力が可能な状態で画像データを表示する。これによって、印刷しようとする原稿に対する外周領域およびブックセンター領域の位置指定を行うときに、従来技術のように、事前に画像形成して得られた複写物を用いて位置指定する必要がなく、無駄な現像剤および記録紙の消費を抑制することができる。
【００２１】
そして、印刷領域設定部は、表示手段に表示される画像データに対する印刷領域の指定入力に対応した領域を、複写物の印刷領域として設定する。ブックセンター領域設定部は、表示手段に表示される画像データに対するブックセンター領域の指定入力に対応した領域を、複写物のブックセンター領域として設定する。さらに、変換データ生成部は、表示手段に表示される前記画像データのうち、印刷領域設定部が設定した印刷領域以外の外周領域と、ブックセンター領域設定部が設定したブックセンター領域とに対応した領域の可視画像データを、下地の色と同じ色の画像データに変換して変換データを生成する。そして、画像形成ユニットが、前記変換データを用いて記録紙に画像を形成して複写物を得る。そのため、得られた複写物において、外周領域およびブックセンター領域に対応する、本来画像形成されるべきではない領域部分が、可視画像となって画像形成されるのを防止することができ、無駄な現像剤の消費を抑制することができる。
【００２２】
また本発明によれば、表示手段に表示される画像データに対して、複数の印刷領域およびブックセンター領域を指定する入力がされたとき、印刷領域設定部は、複数の印刷領域の指定にそれぞれ対応した領域を、それぞれ区別された印刷領域として設定する。また、ブックセンター領域設定部は、複数のブックセンター領域の指定にそれぞれ対応した領域を、それぞれ区別されたブックセンター領域として設定する。そのため、印刷領域設定部およびブックセンター領域設定部は、複数の原稿のそれぞれに対応した印刷領域およびブックセンター領域を、原稿ごとにそれぞれ区別して設定することができる。そして、変換データ生成部は、印刷領域設定部が設定した原稿ごとの印刷領域以外の外周領域と、ブックセンター領域設定部が設定した原稿ごとのブックセンター領域とに対応した領域の可視画像データを、下地の色と同じ色の画像データに変換して変換データを生成する。これによって、厚みおよび大きさの異なる複数の原稿に対応して、大きさの異なる外周領域およびブックセンター領域が存在する場合であっても、本来画像形成されるべきではない領域部分が、可視画像となって画像形成されるのを防止することができ、無駄な現像剤の消費を抑制することができる。
【００２３】
また本発明によれば、検出手段は、上部カバーが開状態であるか否かを検出する。そして、本発明の画像形成装置は、検出手段による検出結果に基づいて、開状態画像形成モードと閉状態画像形成モードとが、自動的に切替わるように構成されている。そのため、画像形成装置を利用するユーザーが、開状態画像形成モードと閉状態画像形成モードとを選択する指示を入力する必要がなく、利便性を向上することができる。
【発明を実施するための最良の形態】
【００２４】
図１は、本発明の実施の一形態である画像形成装置１の構成を示す図である。画像形成装置１は、画像形成ユニット２と、スキャナ部３と、原稿搬送ユニット４と、後処理ユニット５と、記録紙供給ユニット６と、中継搬送ユニット８と、両面搬送ユニット１０とを含んで構成されている。画像形成装置１は、スキャナ部３にて読み取った画像データや、パーソナルコンピュータなどの画像処理装置である外部接続機器からの画像データに基づいて、記録媒体である記録紙に対して画像を形成するデジタル複合機である。
【００２５】
画像形成装置１においては、画像形成ユニット２および後処理ユニット５が、記録紙供給ユニット６の上方に並んで配置され、これらの上方にスキャナ部３が、さらにその上方に原稿搬送ユニット４が配置されている。そして、前記各ユニットおよびスキャナ部３は、システムラック７に支持されて固定されている。このとき、画像形成装置１においては、画像形成ユニット２の幅寸法をＬ１、後処理ユニット５の幅寸法をＬ２とすると、記録紙供給ユニット６の幅寸法Ｌは、（Ｌ１＋Ｌ２）にほぼ等しくなるように設計されている。画像形成装置１は、上記のような各ユニットを組み合わせて１つの画像形成システムとして構成されているので、ユーザーが所望する画像形成システムを容易に実現できる。
【００２６】
一方、高品位の画像を形成するためには、画像形成装置１全体の温度や湿度等を調整する必要があるが、各ユニットのそれぞれにヒータやファン等を設けると、システム全体として部品点数が増加し、画像形成装置１のコストアップ等の問題を招来する。そこで、画像形成装置１においては、画像形成ユニット２と記録紙供給ユニット６との間にヒータ（発熱体）３００を設け、このヒータ３００によって画像形成装置１全体の温度調整が可能な構成とし、部品点数の低減とコスト低減を図っている。
【００２７】
画像形成ユニット２は、電子写真プロセス部２０と、記録紙供給部２１と、光走査部２２と、定着部２３とを含む。電子写真プロセス部２０は、像担持体である感光体ドラム２００と、感光体ドラム２００の周囲に配置される帯電ローラ２０１、現像手段２０２、転写手段２０３およびクリーニング手段２０４とから構成される。
【００２８】
感光体ドラム２００は、図示しない駆動手段により、軸線回りに回転駆動可能に支持され、導電性基体と、導電性基体の表面に形成される光導電性物質を含む感光層とを含んで構成される像担持体である。帯電ローラ２０１は、感光体ドラム２００の表面を所定の電位に均一に帯電させる接触方式の帯電器である。帯電ローラ２０１に代えて、帯電ブラシを用いた接触方式の帯電器、または、帯電ワイヤを用いた非接触方式の帯電器を用いることもできる。
【００２９】
画像形成ユニット２が備える光走査部２２は、電子写真プロセス部２０の側方、つまり電子写真プロセス部２０に対して用紙搬送パス６４と略直交する方向に隣接する位置に配置されている。光走査部２２は、帯電ローラ２０１によって均一に帯電された感光体ドラム２００上に光像を走査して静電潜像を書き込む。現像手段２０２は、静電潜像が書き込まれた感光体ドラム２００の表面に現像剤を供給し、静電潜像を顕像化して可視画像を形成する。転写手段２０３は、感光体ドラム２００上で顕像化された可視画像を記録紙上に転写する。クリーニング手段２０４は、転写処理後の感光体ドラム２００上に残留した現像剤を除去し、感光体ドラム２００上に新たな画像を記録することを可能にする。また、画像形成装置１には、感光体ドラム２００の表面の電荷を除去する除電手段が配置されていてもよい。
【００３０】
感光体ドラム２００上で顕像化された画像が転写手段２０３によって転写された記録紙は、電子写真プロセス部２０の上方に配置される定着部２３に導かれる。定着部２３は、たとえば、相互に圧接して定着ニップ部を形成し、内部にヒータランプなどの加熱手段を備える一対のローラ部材から構成されており、定着ニップ部を通過する記録紙上の転写画像を加熱および加圧して、転写画像を記録紙の表面に定着させて記録させる。画像が記録された記録紙は、排出ローラ２８によって画像形成ユニット２の上方に配置される中継搬送ユニット８に排出される。
【００３１】
また、画像形成ユニット２には、記録紙供給部２１が有する記録紙収容トレイ２１０に収容されている記録紙を、電子写真プロセス部２０の転写手段２０３および定着部２３を経由して、中継搬送ユニット８に送るための略鉛直方向下方から上方に延びる用紙搬送パス（記録紙搬送路）６４が設けられている。
【００３２】
記録紙供給部２１は、電子写真プロセス部２０の下方であり、かつ後述する記録紙供給ユニット６の上方に配置され、記録紙を収容する記録紙収容トレイ２１０と、記録紙収容トレイ２１０に収容された記録紙を１枚ずつ分離給紙する分離供給手段２１１とで構成される。分離供給手段２１１にて１枚ずつ分離給紙された記録紙は、用紙搬送パス６４を通って電子写真プロセス部２０の感光体ドラム２００と転写手段２０３との間に順次供給され、感光体ドラム２００上で顕像化された画像が転写される。なお、記録紙供給部２１への記録紙の補給や記録紙の交換などの作業は、画像形成ユニット２の正面側に記録紙収容トレイ２１０を引き出して行う。
【００３３】
また、画像形成ユニット２の下面には、オプション配置される記録紙供給ユニット６から送られてくる記録紙を受け入れ、電子写真プロセス部２０の感光体ドラム２００と転写手段２０３との間に向かって順次供給するための記録紙受口２７が設けられている。
【００３４】
記録紙供給ユニット６は、オプションにて付設された外付けの記録紙供給装置であって、３つの記録紙供給部６１，６２，６３を有している。記録紙供給部６１，６２，６３では、記録紙収容トレイ６１０，６２０，６３０に収容した記録紙を、各々に備えられた分離供給手段６１１，６２１，６３１によってそれぞれ１枚ずつ分離して、この記録紙供給ユニット６の上面に設けられ、画像形成ユニット２の下面に設けられる記録紙受口２７に連通している記録紙排出口６５に向かって供給する。記録紙供給部６１，６２，６３から記録紙排出口６５に供給された記録紙は、記録紙受口２７から用紙搬送パス６４に導かれ、電子写真プロセス部２０の感光体ドラム２００と転写手段２０３との間に順次供給され、感光体ドラム２００上で顕像化された画像が転写される。また、画像形成装置１の稼働時には、所望とするサイズの記録紙を収容した記録紙供給部６１，６２，６３が選択的に動作する。記録紙供給部６１，６２，６３への記録紙の補給は、記録紙供給ユニット６本体の正面側に記録紙収容トレイ６１０，６２０，６３０を引出すことで行われる。
【００３５】
また、画像形成装置１において、記録紙供給ユニット６は、上方に画像形成ユニット２および後処理ユニット５を載置するように構成されているが、この状態で移動自在であり、かつシステムラック７の間に固定配置可能なように、下部に移動コロ６９および固定部６８を備えている。記録紙供給ユニット６を移動させるときには、固定部６８を回転させて上昇させておくことで固定部６８を床面から離間させ、固定配置するときには、固定部６８を回転させて下降させることで固定部６８を床面に接触させるようにすればよい。なお、本実施の形態では、記録紙供給ユニット６は、３つの記録紙供給部６１，６２，６３を有するように構成されているが、少なくとも１つの記録紙供給部を有していればよい。
【００３６】
画像形成ユニット２で画像が記録された記録紙は、排出ローラ２８によって中継搬送ユニット８に排出される。中継搬送ユニット８は、画像形成ユニット２の頂部に設けられた排紙トレイ２９の上方に装着されて、第１記録紙搬送経路８３と、第２記録紙搬送経路８４と、各搬送経路の分岐部に配置されるゲート８１とを含んで構成される。中継搬送ユニット８によれば、排出ローラ２８から排出された記録紙を、ゲート８１の切換えによって第１記録紙搬送経路８３または第２記録紙搬送経路８４に導く。第１記録紙搬送経路８３に導かれた記録紙は、中継搬送ユニット８の上面８２と後処理ユニット５の上面５４とで形成された排紙トレイ５６に向けて搬送される。また、第２記録紙搬送経路８４に導かれた記録紙は、画像形成ユニット２に対して搬送方向（記録紙が搬送される方向）下流側に配置される後処理ユニット５に向けて搬送される。
【００３７】
後処理ユニット５は、第２記録紙搬送経路８４を通って搬送されてくる記録紙を、搬入ローラ５０で導き入れて、記録紙に対して後処理を施すユニットである。後処理ユニット５が記録紙に施す後処理としては、ステープル処理、パンチング処理、ソート処理などを挙げることができ、後処理が施された記録紙は、切換えゲート５２によって選択的に下段の排紙トレイ５９に排出される。なお、後処理が施されない記録紙は、切換えゲート５２によって選択的に上段の排紙トレイ５６に排出される。
【００３８】
両面搬送ユニット１０は、画像形成ユニット２の側面に装着され、記録紙の両面に画像を形成する際に記録紙を反転させて搬送するためのユニットである。記録紙を反転させる際には、画像形成ユニット２で画像が形成され、排出ローラ２８に排出された記録紙が途中まで排出された状態で排出ローラ２８の回転が停止され、排出ローラ２８が逆方向に回転することによって記録紙が両面搬送ユニット１０側へ導かれる。このとき、定着部２３に対して搬送方向（記録紙が搬送される方向）下流側に設けられたゲート８５の切換えにより、記録紙が定着部２３側へ戻らず両面搬送ユニット１０に搬送されることになる。両面搬送ユニット１０を通過した記録紙は、電子写真プロセス部２０の手前から再度用紙搬送パス６４に搬送されて、電子写真プロセス部２０等を通過することで裏面に画像が形成される。
【００３９】
次に、画像形成装置１が備えるスキャナ部３と原稿搬送ユニット４とについて説明する。スキャナ部３は、読み取る原稿を載置するための透明な原稿載置台３０と、原稿に対して走査しながら露光する第１走査露光ユニット３１および第２走査露光ユニット３２と、原稿からの反射光を光電変換素子３４へ導いて結像させる結像レンズ３３とを含む。
【００４０】
スキャナ部３では、原稿載置台３０の表面に沿って相互に所定の速度関係で移動可能にされている第１走査露光ユニット３１および第２走査露光ユニット３２が、原稿載置台３０に載置された原稿に対して走査しながら露光する。そして、ミラーや結像レンズ３３等の光学部品が、原稿からの反射光を光電変換素子３４に導き、光電変換素子３４上に結像させる。このようにして原稿からの反射光に基づいた像が光電変換素子３４上に結像されると、光電変換素子３４は、原稿画像を電気的信号である画像データに変換し、該画像データを後述する装置制御手段２４に向けて出力する。
【００４１】
また、スキャナ部３は、原稿搬送ユニット４により自動的に供給されて原稿載置台３０に載置されるシート状の原稿（以下、「自動供給原稿」と呼ぶ）の画像を、１枚ずつ順次走査しながら読み取る自動読み取りモードと、ユーザーのマニュアル操作により原稿載置台３０に載置される原稿（以下、「手動供給原稿」と呼ぶ）の画像を、走査しながら読み取る手動読み取りモードとを備える。ここで、手動供給原稿としては、たとえば、書籍などのブック状の原稿、原稿搬送ユニット４による自動供給が不可能なシート状の原稿などが挙げられる。
【００４２】
原稿搬送ユニット４は、原稿セットトレイ４０上に載置された原稿を原稿載置台３０上に向けて搬送し、スキャナ部３による露光後の原稿を原稿排出トレイ４２上に排出する原稿搬送手段４１を備えている。また、原稿搬送ユニット４は、手動供給原稿を原稿載置台３０上に載置することが可能なように、原稿搬送ユニット４全体が、ユニットのリア側を支点にして上方に回動し、ユニットの手前側が開放するように構成されている。つまり、原稿搬送ユニット４が、スキャナ部３の原稿載置台３０を上方から覆う上部カバーの役割を果たす。
【００４３】
図２は、画像形成装置１の電気的構成を示すブロック図である。本発明の画像形成装置１では、ＣＰＵ（Central Processing Unit）８００が、装置制御手段２４と、画像制御手段２５と、記録手段８０１と、操作パネル８０５に配置される入力手段８０６および表示手段８０７と、検出手段８０８とを制御する。そして、画像形成装置１は、スキャナ部３の原稿載置台３０を上方から覆う上部カバーの役割を果たす原稿搬送ユニット４が開状態である場合の画像形成モードである開状態画像形成モードと、原稿搬送ユニット４が閉状態である場合の画像形成モードである閉状態画像形成モードとを備える。
【００４４】
検出手段８０８は、原稿搬送ユニット４が開状態であるか閉状態であるかを検出する。この検出手段８０８は、原稿搬送ユニット４のリア側を支点として、ユニットの底面と原稿載置台３０の原稿載置面との成す角度を検出して、その検出結果をＣＰＵ８００に送信するようになっている。本実施の形態では、ＣＰＵ８００は、検出手段８０８による検出結果が０度である場合に原稿搬送ユニット４が閉状態であると判断し、検出結果が０度より大きい場合に原稿搬送ユニット４が開状態であると判断する。本実施の形態では、ＣＰＵ８００は、原稿搬送ユニット４が開状態であると判断した場合には開状態画像形成モードに自動的に切替え、原稿搬送ユニット４が閉状態であると判断した場合には閉状態画像形成モードに自動的に切替える。
【００４５】
なお、ユーザーが入力手段８０６により開状態画像形成モードと閉状態画像形成モードとを選択できるようにしておき、各モードを選択するモード選択指示に基づいて、各モードの切替えを行うようにしてもよい。
【００４６】
操作パネル８０５は、スキャナ部３の原稿載置台３０と同一平面上であり、かつ原稿載置台３０よりも手前側（ユーザーが画像形成装置1を操作する場合の立ち位置側）に設けられており、入力手段８０６と表示手段８０７とが配置されている。入力手段８０６は、画像形成装置１を操作するユーザーが、印刷条件などの設定に関する指示を入力する手段であり、たとえば、タッチパネルである。入力手段８０６は、表示手段８０７が有するデータ表示面を覆うように一体的に形成され、指示を入力する指示入力面を有する。指示入力面は、ガラス等から成る透明な透過部材で構成される。入力手段８０６においては、指示入力面上で押圧操作することによって、指示を入力するようになっている。
【００４７】
入力手段８０６の指示入力面は、ＣＰＵ８００が画像形成モードを開状態画像形成モードに切替えた場合に、画像処理条件の設定に関する指示を入力する画面に切替えられる。そして、入力手段８０６の指示入力面は、閉状態画像形成モードである場合、または開状態画像形成モード時に画像形成実行の指示が入力された後に、印刷部数、印刷画像濃度、印刷倍率などの通常印刷条件に関する指示を入力する画面に切替えられる。
【００４８】
表示手段８０７は、開状態画像形成モードであり、入力手段８０６が画像処理条件の設定に関する指示を入力する画面に切替えられている場合に、スキャナ部３が読み取った画像データをデータ表示面に表示する。画像形成装置１では、表示手段８０７のデータ表示面に表示される画像データに対して、データ表示面上で押圧操作することによって、画像データに対応する印刷領域およびブックセンター領域を指定することができるようになっている。これによって、印刷しようとする原稿に対する外周領域およびブックセンター領域の位置指定を行うときに、従来技術のように、事前に画像形成して得られた複写物を用いて位置指定する必要がなく、無駄な現像剤および記録紙の消費を抑制することができる。
【００４９】
ここで、印刷領域とは、原稿の画像データに対する複写する必要がある領域のことであり、外周領域とは、印刷領域の周りの領域である、複写する必要がない領域のことである。また、ブックセンター領域とは、印刷領域内において、原稿載置台３０に載置される見開いた状態の書籍原稿の頁間の継ぎ目部分に相当する領域のように、原稿載置面から浮き上がっている領域部分に対応する領域のことである。
【００５０】
画像形成装置１において、画像形成ユニット２内における光走査部２２の上下空間部には、装置制御手段２４と、画像制御手段２５と、画像形成装置１を構成する各ユニットなどに対して電力を供給する電源ユニット２６とが配置されている。
【００５１】
装置制御手段２４は、画像形成ユニット２、スキャナ部３、原稿搬送ユニット４、後処理ユニット５、記録紙供給ユニット６、中継搬送ユニット８、両面搬送ユニット１０を制御して、画像形成装置１における画像形成プロセスを制御するプロセスコントロールユニット（ＰＣＵ）基板と、スキャナ部３から出力された画像データや外部接続機器からの画像データを受信するインターフェイス基板とを備える。装置制御手段２４が受信した画像データは、ＣＰＵ８００を介して画像制御手段２５に送信される。
【００５２】
画像制御手段２５は、ＣＰＵ８００を介して装置制御手段２４から送信された画像データに対して所定の画像処理を施し、光走査部２２により感光体ドラム２００上に画像として走査記録させるためのイメージコントロールユニット（ＩＣＵ）基板を備える。そして、画像制御手段２５は、印刷領域設定部９０１と、ブックセンター領域設定部９０２と、次頁設定部９０３と、領域設定解除部９０４と、変換データ生成部９０５とを含んで構成される。
【００５３】
印刷領域設定部９０１は、開状態画像形成モードである場合に、入力手段８０６の指示入力面に入力される指示に基づいて、表示手段８０７に表示される画像データに対する印刷領域の指定に対応した領域を、複写物の印刷領域として設定する。ブックセンター領域設定部９０２は、開状態画像形成モードである場合に、入力手段８０６の指示入力面に入力される指示に基づいて、表示手段８０７に表示される画像データに対するブックセンター領域の指定に対応した領域を、複写物のブックセンター領域として設定する。
【００５４】
次頁設定部９０３は、開状態画像形成モードである場合に、入力手段８０６の指示入力面に入力される指示に基づいて、原稿載置台３０に載置される原稿の次頁に対応して、変換データ生成部９０５が繰り返して変換データを生成する必要がある場合に、次頁があることを設定する。
【００５５】
領域設定解除部９０４は、開状態画像形成モードである場合に、入力手段８０６の指示入力面に入力される指示に基づいて、画像形成が実行されて複写物が得られた後に、印刷領域設定部９０１およびブックセンター領域設定部９０２が設定した設定値が全て無効となるようにする。
【００５６】
ここで、原稿搬送ユニット４が開状態であるときに設定される開状態画像形成モードである場合に、スキャナ部３の第１走査露光ユニット３１および第２走査露光ユニット３２が、原稿載置台３０に載置された分厚い見開きの書籍原稿に対して走査しながら露光した場合、原稿載置面から浮き上がっている、外周領域およびブックセンター領域に対応する領域部分では、原稿からの反射光が弱くなる。そのため、スキャナ部３が読み取った画像データに基づいて画像形成を行い、複写物を得ても、外周領域およびブックセンター領域に対応する複写物の領域部分は、黒い影（すなわち、可視画像）となってしまう。
【００５７】
そこで、画像制御手段２５において、変換データ生成部９０５は、開状態画像形成モードである場合に、スキャナ部３が読み取った画像データのうち、印刷領域設定部９０１が設定した印刷領域以外の外周領域と、ブックセンター領域設定部９０２が設定したブックセンター領域とに対応した領域の可視画像データを、下地の色と同じ色の画像データに変換して、変換データを生成する。このとき、変換データ生成部９０５は、スキャナ部３が読み取った画像データを、圧縮データに変換する所定の画像処理を施して、変換データを生成する。たとえば、白黒コピーにて複写物を得る場合には、変換データ生成部９０５は、外周領域とブックセンター領域とに対応した領域の可視画像データを、下地の白色に対応して白色の画像データに変換して、変換データを生成する。また、フルカラーコピーにて複写物を得る場合には、変換データ生成部９０５は、外周領域とブックセンター領域とに対応した領域の可視画像データを、原稿の下地の色と同じ色の画像データに変換して、変換データを生成する。また、原稿の下地の色は、公知の下地検出処理機構を用いて検出することができる。
【００５８】
画像形成装置１では、印刷領域設定部９０１が設定した印刷領域以外の外周領域と、ブックセンター領域設定部９０２が設定したブックセンター領域とに対応した領域の可視画像データを、下地の色と同じ色の画像データに変換して生成された変換データを用いて記録紙に画像を形成して複写物を得る。そのため、得られた複写物において、外周領域およびブックセンター領域に対応する、本来画像形成されるべきではない領域部分が、可視画像となって画像形成されるのを防止することができ、無駄な現像剤の消費を抑制することができるとともに、出力画像の美感を良好に保つことができる。
【００５９】
なお、閉状態画像形成モードである場合には、画像制御手段２５では、変換データ生成部９０５のみが動作を行い、スキャナ部３が読み取った画像データを、圧縮データに変換する所定の画像処理を施して、変換データを生成するようになっている。
【００６０】
また、スキャナ部３は、開状態画像形成モードに設定されている場合には、１つの原稿に対して複数回の走査読み取り動作を行って、各回の走査読み取り動作に対応した複数の画像データを読み取るように構成されていてもよい。スキャナ部３が読み取った複数の画像データを用いて、画像制御手段２５では、各々の画像データに対して印刷領域を設定し、外周領域およびブックセンター領域に対して画像処理を行って変換データを生成する。これによって、各画像データごとに本来画像形成されるべきではない領域部分が、可視画像となって画像形成されるのを防止することができ、無駄な現像剤の消費を抑制することができるとともに、出力画像の美感を良好に保つことができる効果が発現する。
【００６１】
記録手段８０１は、リードオンリィメモリ（ＲＯＭ）、ランダムアクセスメモリ（ＲＡＭ）、ハードディスクドライブ（ＨＤＤ）などからなり、画像用記録部８０２と、設定用記録部８０３と、印刷画像域記録部８０４とを有する。画像用記録部８０２は、装置制御手段２４のインターフェイス基板が受信したスキャナ部３から出力された画像データや外部接続機器からの画像データを記録する。設定用記録部８０３は、画像制御手段２５が備える印刷領域設定部９０１、ブックセンター領域設定部９０２、次頁設定部９０３および領域設定解除部９０４が設定した設定値を記録する。印刷画像域記録部８０４は、画像制御手段２５が備える変換データ生成部９０５が生成した変換データを記録する。
【００６２】
次に、画像形成装置１における画像形成動作の流れについて説明する。図３は、画像形成装置１における画像形成動作の流れを示すフローチャートである。また、図４Ａ〜図４Ｉは、開状態画像形成モードに設定されている場合における、画像形成動作の流れを説明する図である。以下では、原稿載置台３０に載置される、厚みおよび大きさの異なる見開かれた状態の２つの書籍原稿を複写するときの流れについて説明する。
【００６３】
画像形成装置１においては、原稿載置台３０に原稿が載置されて、操作パネル８０５の近傍に設けられるコピー実行ボタン（複写実行ボタン）９１０が押圧されると画像形成動作が開始される。まずステップｓ１では、検出手段８０８が、原稿搬送ユニット４の底面と原稿載置台３０の原稿載置面との成す角度を検出して、その検出結果をＣＰＵ８００に送信する。次にステップｓ２では、ＣＰＵ８００は、検出手段８０８から送信された検出結果に基づいて、原稿搬送ユニット４の開閉状態を判断する。ＣＰＵ８００が開状態であると判断した場合には、ステップｓ３に進み、閉状態であると判断した場合には、ステップｓ１８に進む。
【００６４】
ステップｓ３では、ＣＰＵ８００は、画像形成装置１における画像形成モードを開状態画像形成モードに設定する。このように、画像形成装置１における画像形成モードが開状態画像形成モードに設定されると、ＣＰＵ８００は、入力手段８０６の指示入力面を、画像処理条件の設定に関する指示を入力する画面に切替える。このとき、入力手段８０６の指示入力面には、図４Ａに示すように、領域指定要否指示ボタン８０６ａ、領域端指定指示ボタン８０６ｂ、センター消去要否指示ボタン８０６ｃ、センター領域指定指示ボタン８０６ｄ、領域設定終了指示ボタン８０６ｅ、次頁有無設定指示ボタン８０６ｆ、領域設定解除指示ボタン８０６ｇ、コピー実行指示ボタン８０６ｈ、キャンセル指示ボタン８０６ｉが、指示入力面の上方から下方に向かってこの順で配置されており、指示入力可能なボタンは点灯、指示入力不可のボタンは消灯することにより、必要な指示がスムーズに入力できるように配慮されている。なお、各指示ボタンが押圧されて指示入力が完了するたびごとに、指示ボタンの表示が変わるようにされていてもよい。
【００６５】
領域指定要否指示ボタン８０６ａは、複写物の印刷領域を設定する必要があるか否かの指示を入力する指示ボタンである。領域端指定指示ボタン８０６ｂは、複写物の印刷領域の設定に関する指示を入力する指示ボタンである。センター消去要否指示ボタン８０６ｃは、複写物のブックセンター領域を設定する必要があるか否かの指示を入力する指示ボタンである。センター領域指定指示ボタン８０６ｄは、複写物のブックセンター領域の設定に関する指示を入力する指示ボタンである。領域設定終了指示ボタン８０６ｅは、印刷領域およびブックセンター領域の設定指示が終了したことを指示する指示ボタンである。次頁有無設定指示ボタン８０６ｆは、繰り返して印刷実行させたい原稿の次頁があるか否かの指示を入力する指示ボタンである。領域設定解除指示ボタン８０６ｇは、領域設定に関する設定値を、画像形成が実行されて複写物が得られた後に、全て無効にする指示を入力する指示ボタンである。コピー実行指示ボタン８０６ｈは、複写を実行する指示を入力する指示ボタンであり、コピー実行ボタン９１０と連動している。キャンセル指示ボタン８０６ｉは、開状態画像形成モードから閉状態画像形成モードに強制的に切替える指示を入力する指示ボタンである。
【００６６】
ステップｓ３において、画像形成装置１の画像形成モードが開状態画像形成モードに設定されると、ステップｓ４に進む。ステップｓ４では、ＣＰＵ８００は、装置制御手段２４にスキャナ部３を制御させ、原稿の画像データを読み取らせる。原稿の画像データを読み取ったスキャナ部３は、該画像データを装置制御手段２４に向けて送信する。そして、装置制御手段２４が受信した画像データは、ＣＰＵ８００を介して記録手段８０１に送信されて、画像用記録部８０２に記録される。
【００６７】
次にステップｓ５では、ＣＰＵ８００は、画像用記録部８０２に記録される画像データを表示手段８０７に読み取らせて、表示手段８０７のデータ表示面に表示させる。このとき、表示手段８０７のデータ表示面には、図４Ａに示すように、原稿載置台３０の原稿載置面の全領域に対応した表示画像８０７ａが表示される。この表示画像８０７ａは、原稿載置台３０に載置される一方の書籍原稿の画像データに対応した表示画像領域である第１印刷領域８０７ｂと、一方の書籍原稿の画像データにおけるブックセンター領域に対応した表示画像領域である第１ブックセンター領域８０７ｃと、他方の書籍原稿の画像データに対応した表示画像領域である第２印刷領域８０７ｄと、他方の書籍原稿の画像データにおけるブックセンター領域に対応した表示画像領域である第２ブックセンター領域８０７ｅと、第１印刷領域８０７ｂおよび第２印刷領域８０７ｄ以外の周りの領域である外周領域８０７ｆとを含む。
【００６８】
次にステップｓ６では、ＣＰＵ８００は、入力手段８０６により印刷領域設定の指示が入力されたか否かを判断する。具体的には、まずＣＰＵ８００は、入力手段８０６の指示入力面に配置される領域指定要否指示ボタン８０６ａが押圧されることによって、複写物の印刷領域を設定する必要があるか否かを判断する。ＣＰＵ８００は、領域指定要否指示ボタン８０６ａの「する」側のボタンが押圧された場合には、印刷領域を設定する必要があると判断し、領域指定要否指示ボタン８０６ａの「しない」側のボタンが押圧された場合には、印刷領域を設定する必要がないと判断する。ＣＰＵ８００が印刷領域を設定する必要があると判断した場合には、図４Ｂに示すように、入力手段８０６の指示入力面に配置される指示ボタンのうち、領域端指定指示ボタン８０６ｂと、キャンセル指示ボタン８０６ｉとが点灯しており、これらの点灯している指示ボタンのみが指示入力可能な状態である。
【００６９】
そして、ＣＰＵ８００は、表示手段８０７のデータ表示面上で、タッチペンなどの操作部材の先端で２点（８０７ｇおよび８０７ｈ）が押圧されて、領域端指定指示ボタン８０６ｂが押圧された場合に、２点（８０７ｇおよび８０７ｈ）を結ぶ線分を対角線とする矩形の領域を算出して、表示画像８０７ａにおける一方の書籍原稿の画像データに対応する第１印刷領域８０７ｂを設定し、印刷領域設定の指示が入力されたと判断する。
【００７０】
このとき、タッチペンなどの操作部材の先端で押圧された４点を頂点とする矩形の領域を算出して、第１印刷領域８０７ｂを設定するようにしてもよい。これによって、たとえば、書籍原稿が原稿載置台３０の原稿載置面に対して斜めに載置されている場合であっても、第１印刷領域８０７ｂをより正確に設定することができる。また、表示手段８０７のデータ表示面上で、タッチペンなどの操作部材の先端で筆記操作されて形成された領域を、第１印刷領域８０７ｂとして設定するようにしてもよい。これによって、矩形状ではない第１印刷領域８０７ｂを設定することができる。
【００７１】
ＣＰＵ８００が印刷領域設定の指示が入力されたと判断するとステップｓ７に進み、印刷領域を設定する必要がないと判断するとステップｓ１８に進む。
【００７２】
ステップｓ７では、ＣＰＵ８００は、画像制御手段２５を制御して、ステップｓ６において指定された一方の書籍原稿の画像データに対応する印刷領域を、印刷領域設定部９０１に設定させる。このとき、印刷領域設定部９０１は、表示画像８０７ａ内における第１印刷領域８０７ｂの相対位置および領域の大きさを、印刷領域に関する設定値として算出する。そして、印刷領域設定部９０１が設定した印刷領域に関する設定値は、ＣＰＵ８００を介して記録手段８０１に送信されて、設定用記録部８０３に記録される。印刷領域設定部９０１が一方の書籍原稿の画像データに対応する印刷領域を設定すると、図４Ｃに示すように、入力手段８０６の指示入力面に配置される指示ボタンのうち、センター消去要否指示ボタン８０６ｃと、キャンセル指示ボタン８０６ｉとが点灯しており、これらの点灯している指示ボタンのみが指示入力可能な状態である。
【００７３】
次にステップｓ８では、ＣＰＵ８００は、入力手段８０６によりブックセンター領域設定の指示が入力されたか否かを判断する。具体的には、まずＣＰＵ８００は、入力手段８０６の指示入力面に配置されるセンター消去要否指示ボタン８０６ｃが押圧されることによって、複写物のブックセンター領域を設定する必要があるか否かを判断する。ＣＰＵ８００は、センター消去要否指示ボタン８０６ｃの「する」側のボタンが押圧された場合には、ブックセンター領域を設定する必要があると判断し、センター消去要否指示ボタン８０６ｃの「しない」側のボタンが押圧された場合には、ブックセンター領域を設定する必要がないと判断する。ＣＰＵ８００がブックセンター領域を設定する必要があると判断した場合には、図４Ｄに示すように、入力手段８０６の指示入力面に配置される指示ボタンのうち、センター領域指定指示ボタン８０６ｄと、キャンセル指示ボタン８０６ｉとが点灯しており、これらの点灯している指示ボタンのみが指示入力可能な状態である。
【００７４】
そして、ＣＰＵ８００は、表示手段８０７のデータ表示面上で、タッチペンなどの操作部材の先端で２点（８０７ｉおよび８０７ｊ）が押圧されて、センター領域指定指示ボタン８０６ｄが押圧された場合に、２点（８０７ｉおよび８０７ｊ）を結ぶ線分を対角線とする矩形の領域を算出して、表示画像８０７ａにおける一方の書籍原稿の画像データに対応する第１ブックセンター領域８０７ｃを設定し、ブックセンター領域設定の指示が入力されたと判断する。
【００７５】
このとき、タッチペンなどの操作部材の先端で押圧された４点を頂点とする矩形の領域を算出して、第１ブックセンター領域８０７ｃを設定するようにしてもよい。これによって、たとえば、書籍原稿が原稿載置台３０の原稿載置面に対して斜めに載置されている場合であっても、第１ブックセンター領域８０７ｃをより正確に設定することができる。また、表示手段８０７のデータ表示面上で、タッチペンなどの操作部材の先端で筆記操作されて形成された領域を、第１ブックセンター領域８０７ｃとして設定するようにしてもよい。これによって、矩形状ではない第１ブックセンター領域８０７ｃを設定することができる。ＣＰＵ８００がブックセンター領域設定の指示が入力されたと判断するとステップｓ９に進み、ブックセンター領域を設定する必要がないと判断するとステップｓ１０に進む。
【００７６】
ステップｓ９では、ＣＰＵ８００は、画像制御手段２５を制御して、ステップｓ８において指定された一方の書籍原稿の画像データに対応するブックセンター領域を、ブックセンター領域設定部９０２に設定させる。このとき、ブックセンター領域設定部９０２は、第１印刷領域８０７ｂ内における第１ブックセンター領域８０７ｃの相対位置および領域の大きさを、ブックセンター領域に関する設定値として算出する。そして、ブックセンター領域設定部９０２が設定したブックセンター領域に関する設定値は、ＣＰＵ８００を介して記録手段８０１に送信されて、設定用記録部８０３に記録される。ブックセンター領域設定部９０２が一方の書籍原稿の画像データに対応するブックセンター領域を設定すると、図４Ｅに示すように、入力手段８０６の指示入力面に配置される指示ボタンのうち、領域指定要否指示ボタン８０６ａと、領域設定終了指示ボタン８０６ｅと、キャンセル指示ボタン８０６ｉとが点灯しており、これらの点灯している指示ボタンのみが指示入力可能な状態である。
【００７７】
画像形成装置１において、複数の印刷領域およびブックセンター領域が設定される場合には、ステップｓ６からステップｓ９が繰り返される。たとえば、前述したように、画像制御手段２５がＣＰＵ８００に制御されて、入力手段８０６の指示入力面から入力される指示に基づいて、一方の書籍原稿の画像データに対応する印刷領域およびブックセンター領域の設定をした後に、図４Ｆに示すように、入力手段８０６により他方の書籍原稿の画像データに対応する印刷領域およびブックセンター領域設定の指示が入力されると、ステップｓ６からステップｓ９が繰り返される。このようにして、ＣＰＵ８００は、画像制御手段２５を制御して、他方の書籍原稿の画像データに対応する印刷領域およびブックセンター領域を設定させる。
【００７８】
次にステップｓ１０では、ＣＰＵ８００は、入力手段８０６により領域設定終了の指示が入力されたか否かを判断する。具体的には、ＣＰＵ８００は、入力手段８０６の指示入力面に配置される領域設定終了指示ボタン８０６ｅが押圧されることによって、印刷領域およびブックセンター領域の設定終了の指示が入力されたと判断する。
【００７９】
このようにして、印刷領域およびブックセンター領域の設定終了の指示が入力されたと判断すると、ＣＰＵ８００は、ステップｓ７において印刷領域設定部９０１が設定した印刷領域の数を、記録手段８０１の設定用記録部８０３に記録させる。画像形成装置１においては、詳細は後述するが、次頁設定部９０３が繰り返し印刷実行される次頁があることを設定し、原稿の次頁の複写物を得る場合に、設定用記録部８０３に記録された設定印刷領域の数に相当する回数だけ、印刷領域設定部９０１が印刷領域の設定を実行し、ブックセンター領域設定部９０２がブックセンター領域の設定を実行するようになっている。
【００８０】
ＣＰＵ８００が印刷領域およびブックセンター領域の設定終了の指示が入力されたと判断するとステップｓ１１に進み、領域設定終了の指示が入力されていないと判断するとステップｓ６に戻る。
【００８１】
次にステップｓ１１では、ＣＰＵ８００は、画像制御手段２５を制御して変換データ生成部９０５に、ステップｓ７において印刷領域設定部９０１に設定させた印刷領域以外の外周領域と、ステップｓ９においてブックセンター領域設定部９０２に設定させたブックセンター領域とに対応した領域の可視画像データを、下地の色と同じ色の画像データに変換して変換データを生成させる。このとき、変換データ生成部９０５は、原稿の画像データを圧縮データに変換する所定の画像処理を施して変換データを生成する。そして、変換データ生成部９０５が生成した変換データは、ＣＰＵ８００を介して記録手段８０１に送信されて、印刷画像域記録部８０４に記録される。変換データ生成部９０５が変換データを生成すると、図４Ｇに示すように、入力手段８０６の指示入力面に配置される指示ボタンのうち、次頁有無設定指示ボタン８０６ｆと、キャンセル指示ボタン８０６ｉとが点灯しており、これらの点灯している指示ボタンのみが指示入力可能な状態である。
【００８２】
次にステップｓ１２では、ＣＰＵ８００は、入力手段８０６により入力される指示に基づいて、繰り返して印刷実行される原稿の次頁があるか否かを判断する。具体的には、ＣＰＵ８００は、入力手段８０６の指示入力面に配置される次頁有無設定指示ボタン８０６ｆが押圧されることによって、繰り返して印刷実行される原稿の次頁があるか否かを判断する。ＣＰＵ８００は、次頁有無設定指示ボタン８０６ｆの「する」側のボタンが押圧された場合には、繰り返して印刷実行される原稿の次頁があると判断し、次頁有無設定指示ボタン８０６ｆの「しない」側のボタンが押圧された場合には、繰り返して印刷実行される原稿の次頁がないと判断する。ＣＰＵ８００が繰り返して印刷実行される原稿の次頁があると判断した場合には、図４Ｈに示すように、入力手段８０６の指示入力面に配置される指示ボタンのうち、コピー実行指示ボタン８０６ｈと、キャンセル指示ボタン８０６ｉとが点灯しており、これらの点灯している指示ボタンのみが指示入力可能な状態である。ＣＰＵ８００が繰り返して印刷実行される原稿の次頁があると判断するとステップｓ１３に進み、繰り返して印刷実行される原稿の次頁がないと判断するとステップｓ１６に進む。
【００８３】
ステップｓ１３では、ＣＰＵ８００は、画像制御手段２５を制御して次頁設定部９０３に、繰り返して印刷実行される次頁があることを設定させる。そして、次頁設定部９０３が設定した次頁があることを示す設定値は、ＣＰＵ８００を介して記録手段８０１に送信されて、設定用記録部８０３に記録される。次頁設定部９０３が繰り返して印刷実行される次頁があることを設定すると、図４Ｈに示すように、入力手段８０６の指示入力面に配置される指示ボタンのうち、コピー実行指示ボタン８０６ｈと、キャンセル指示ボタン８０６ｉとが点灯しており、これらの点灯している指示ボタンのみが指示入力可能な状態である。
【００８４】
次にステップｓ１４では、ＣＰＵ８００は、入力手段８０６によりコピー実行の指示が入力されたか否かを判断する。具体的には、ＣＰＵ８００は、入力手段８０６の指示入力面に配置されるコピー実行指示ボタン８０６ｈが押圧されることによって、コピー実行の指示が入力されたと判断し、入力手段８０６の指示入力面を、印刷部数、印刷画像濃度、印刷倍率などの通常印刷条件に関する指示を入力する画面に切替える。ＣＰＵ８００がコピー実行の指示が入力されたと判断するとステップｓ１５に進み、コピー実行の指示が入力されていないと判断するとステップｓ１４を繰り返す。
【００８５】
ステップｓ１５では、ＣＰＵ８００は、コピー実行ボタン９１０が押圧されることによって、装置制御手段２４および画像制御手段２５を制御して、画像形成処理を実行させる。具体的には、ＣＰＵ８００は、印刷画像域記録部８０４に記録される変換データを画像制御手段２５に読み取らせる。変換データを読み取った画像制御手段２５は、画像形成ユニット２の光走査部２２に該変換データを送信する。そして、ＣＰＵ８００は、装置制御手段２４に画像形成ユニット２を制御させる。装置制御手段２４に制御された画像形成ユニット２では、光走査部２２が、帯電ローラ２０１によって均一に帯電された感光体ドラム２００上に、変換データを用いて静電潜像を書き込む。そして、現像手段２０２が感光体ドラム２００の表面に現像剤を供給して静電潜像を顕像化し、転写手段２０３が感光体ドラム２００上で顕像化された画像を記録紙上に転写し、定着部２３が記録紙上の転写画像を記録紙に定着させて複写物を得る。
【００８６】
画像形成装置１では、ステップｓ７において印刷領域設定部９０１が設定した印刷領域以外の外周領域と、ステップｓ９においてブックセンター領域設定部９０２が設定したブックセンター領域とに対応した領域の可視画像データを、下地の色と同じ色の画像データに変換して生成された変換データを用いて記録紙に画像を形成して複写物を得る。そのため、得られた複写物において、外周領域およびブックセンター領域に対応する、本来画像形成されるべきではない領域部分が、黒い影（可視画像）となって画像形成されるのを防止することができ、無駄な現像剤の消費を抑制することができるとともに、出力画像の美感を良好に保つことができる。
【００８７】
また、厚みおよび大きさの異なる見開かれた状態の複数の書籍原稿を複写するときには、大きさの小さい方の書籍原稿に対応した外周領域の大きさが大きく、厚みの大きい方の書籍原稿に対応したブックセンター領域の大きさが大きくなる。
【００８８】
本実施の形態における画像形成装置１では、印刷領域設定部９０１およびブックセンター領域設定部９０２が、原稿載置台３０に載置される厚みおよび大きさの異なる２つの書籍原稿のそれぞれに対応した印刷領域およびブックセンター領域を、原稿ごとにそれぞれ区別して設定するように構成されている。そして、変換データ生成部９０５は、印刷領域設定部９０１が設定した原稿ごとの印刷領域以外の外周領域と、ブックセンター領域設定部９０２が設定した原稿ごとのブックセンター領域とに対応した領域の可視画像データを、下地の色と同じ色の画像データに変換して変換データを生成するように構成されている。これによって、厚みおよび大きさの異なる複数の書籍原稿に対応して、大きさの異なる外周領域およびブックセンター領域が存在する場合であっても、本来画像形成されるべきではない領域部分が、黒い影（可視画像）となって画像形成されるのを防止することができ、無駄な現像剤の消費を抑制することができるとともに、出力画像の美感を良好に保つことができる。
【００８９】
ステップｓ１２においてＣＰＵ８００が、繰り返して印刷実行される原稿の次頁がないと判断した場合には、図４Ｉに示すように、入力手段８０６の指示入力面に配置される指示ボタンのうち、領域設定解除指示ボタン８０６ｇと、キャンセル指示ボタン８０６ｉとが点灯しており、これらの点灯している指示ボタンのみが指示入力可能な状態である。このような状態で、ステップｓ１６に進む。
【００９０】
ステップｓ１６では、ＣＰＵ８００は、入力手段８０６により領域設定解除の指示が入力されたか否かを判断する。具体的には、ＣＰＵ８００は、領域設定解除指示ボタン８０６ｇの「する」側のボタンが押圧された場合には、領域設定解除の指示が入力されたと判断し、領域設定解除指示ボタン８０６ｇの「しない」側のボタンが押圧された場合には、領域設定解除の指示が入力されていないと判断する。ＣＰＵ８００が領域設定解除の指示が入力されたと判断するとステップｓ１７に進み、領域設定解除の指示が入力されていないと判断するとステップｓ１２に戻る。
【００９１】
ステップｓ１７では、ＣＰＵ８００は、画像制御手段２５を制御して領域設定解除部９０４に、画像形成が実行されて複写物が得られた後に、印刷領域設定部９０１およびブックセンター領域設定部９０２が設定して設定用記録部８０３に記録される設定値が全て無効となるような設定をさせる。領域設定解除部９０４が領域設定解除に関する設定値を設定すると、図４Ｈに示すように、入力手段８０６の指示入力面に配置される指示ボタンのうち、コピー実行指示ボタン８０６ｈと、キャンセル指示ボタン８０６ｉとが点灯しており、これらの点灯している指示ボタンのみが指示入力可能な状態となり、前述したステップｓ１４に進む。なお、キャンセル指示ボタン８０６ｉが押圧された場合には、ＣＰＵ８００は、記録手段８０１を制御して、設定用記録部８０３に記録されている設定値、および印刷画像域記録部８０４に記録されている変換データを削除させるとともに、開状態画像形成モードから閉状態画像形成モードに強制的に切替える。
【００９２】
またステップｓ２において、検出手段８０８から送信された検出結果に基づいて、ＣＰＵ８００が、原稿搬送ユニット４が閉状態であると判断した場合には、ステップｓ１８に進む。ステップｓ１８では、ＣＰＵ８００は、画像形成装置１における画像形成モードを閉状態画像形成モードに設定して、ステップｓ１９に進む。ステップｓ１９では、前述したステップｓ４と同様に、ＣＰＵ８００は、装置制御手段２４にスキャナ部３を制御させ、原稿の画像データを読み取らせる。原稿の画像データを読み取ったスキャナ部３は、該画像データを装置制御手段２４に向けて送信する。そして、装置制御手段２４が受信した画像データは、ＣＰＵ８００を介して記録手段８０１に送信されて、画像用記録部８０２に記録される。次にステップｓ２０では、ＣＰＵ８００は、画像制御手段２５に変換データ生成部９０５を制御させ、原稿の画像データを圧縮データに変換する所定の画像処理を施して変換データを生成させ、前述したステップｓ１５に進む。
【００９３】
次に、開状態画像形成モードに設定されている場合における、繰り返して印刷実行される次頁以降の画像形成動作の流れについて説明する。図５は、開状態画像形成モードに設定されている場合における、繰り返して印刷実行される次頁以降の画像形成動作の流れを示すフローチャートである。また、図６Ａ〜図６Ｄは、開状態画像形成モードに設定されている場合における、繰り返して印刷実行される次頁以降の画像形成動作の流れを説明する図である。
【００９４】
前述したステップｓ１３において次頁設定部９０３が、繰り返して印刷実行される次頁があることを設定した場合、ステップｓ１５において画像形成実行が行われて複写物を得た後に、ＣＰＵ８００は、入力手段８０６の指示入力面を、次頁以降の画像処理条件の設定に関する指示を入力する画面に切替える。このとき、入力手段８０６の指示入力面には、図６Ａに示すように、次頁領域位置指定指示ボタン８０６ｊ、領域設定解除指示ボタン８０６ｇ、コピー実行指示ボタン８０６ｈ、キャンセル指示ボタン８０６ｉが、指示入力面の上方から下方に向かってこの順で配置されており、指示入力可能なボタンは点灯、指示入力不可のボタンは消灯することにより、必要な指示がスムーズに入力できるように配慮されている。
【００９５】
次頁領域位置指定指示ボタン８０６ｊは、次頁以降の複写物の印刷領域の設定に関する指示を入力する指示ボタンである。領域設定解除指示ボタン８０６ｇは、領域設定に関する設定値を、画像形成が実行されて複写物が得られた後に、全て無効にする指示を入力する指示ボタンである。コピー実行指示ボタン８０６ｈは、複写を実行する指示を入力する指示ボタンであり、コピー実行ボタン９１０と連動している。キャンセル指示ボタン８０６ｉは、開状態画像形成モードから閉状態画像形成モードに強制的に切替える指示を入力する指示ボタンである。
【００９６】
画像形成装置１においては、２つの書籍の頁が次頁に変更されて原稿載置台３０に載置され、コピー実行ボタン９１０が押圧されると次頁の画像形成動作が開始される。このとき、画像形成装置１における画像形成モードは、開状態画像形成モードのまま維持されている。
【００９７】
まずステップａ１では、ＣＰＵ８００は、装置制御手段２４にスキャナ部３を制御させ、次頁の画像データを読み取らせる。次頁の画像データを読み取ったスキャナ部３は、該画像データを装置制御手段２４に向けて送信する。そして、装置制御手段２４が受信した画像データは、ＣＰＵ８００を介して記録手段８０１に送信されて、画像用記録部８０２に記録される。
【００９８】
次にステップａ２では、ＣＰＵ８００は、画像用記録部８０２に記録される次頁の画像データを表示手段８０７に読み取らせて、表示手段８０７のデータ表示面に表示させる。このとき、表示手段８０７のデータ表示面には、図６Ａに示すように、原稿載置台３０の原稿載置面の全領域に対応した表示画像８０７ｏが表示される。この表示画像８０７ｏは、原稿載置台３０に載置される一方の書籍原稿の次頁の画像データに対応した表示画像領域である第１印刷領域８０７ｐと、一方の書籍原稿の次頁の画像データにおけるブックセンター領域に対応した表示画像領域である第１ブックセンター領域８０７ｑと、他方の書籍原稿の次頁の画像データに対応した表示画像領域である第２印刷領域８０７ｒと、他方の書籍原稿の次頁の画像データにおけるブックセンター領域に対応した表示画像領域である第２ブックセンター領域８０７ｓと、第１印刷領域８０７ｐおよび第２印刷領域８０７ｒ以外の周りの領域である外周領域８０７ｔとを含む。
【００９９】
次にステップａ３では、ＣＰＵ８００は、画像制御手段２５を制御して、原稿の次頁の画像データに対応する印刷領域およびブックセンター領域を設定させる。具体的には、ＣＰＵ８００は、画像制御手段２５に印刷領域設定部９０１およびブックセンター領域設定部９０２を制御させて、前述したステップｓ１０において設定用記録部８０３に記録された設定印刷領域の数に相当する回数だけ、原稿の次頁の画像データに対応する印刷領域およびブックセンター領域を設定させる。
【０１００】
まずＣＰＵ８００は、図６Ａに示すように、表示手段８０７のデータ表示面上で、タッチペンなどの操作部材の先端で２点（８０７ｕおよび８０７ｖ）が押圧されて、次頁領域位置指定指示ボタン８０６ｊが押圧された場合に、２点（８０７ｕおよび８０７ｖ）を結ぶ線分を対角線とする矩形の領域を算出して、表示画像８０７ｏにおける一方の書籍原稿の次頁の画像データに対応する第１印刷領域８０７ｐを設定する。そして、印刷領域設定部９０１は、表示画像８０７ｏ内における第１印刷領域８０７ｐの相対位置および領域の大きさを、次頁の印刷領域に関する設定値として算出する。そして、印刷領域設定部９０１が設定した次頁の印刷領域に関する設定値は、ＣＰＵ８００を介して記録手段８０１に送信されて、設定用記録部８０３に記録される。
【０１０１】
また、操作パネル８０５の表示手段８０７において、次頁領域位置指定指示ボタン８０６ｊの近傍に配置される設定領域番号表示部８０６ｋには、印刷領域設定部９０１が現在設定している印刷領域の番号が表示されるようになっており、現在どの画像データに対応する印刷領域の設定動作が実行されているのかを視認することができる。
【０１０２】
次にブックセンター領域設定部９０２は、前述したステップｓ９において記録手段８０１の設定用記録部８０３に記録された、前頁のブックセンター領域に関する設定値に基づいて、第１印刷領域８０７ｐ内における第１ブックセンター領域８０７ｑの相対位置および領域の大きさを自動的に算出し、一方の書籍原稿の次頁の画像データに対応するブックセンター領域を設定する。つまり、ブックセンター領域設定部９０２は、ブックセンター領域の位置指定の指示が入力されなくても、一方の書籍原稿の次頁の画像データに対応するブックセンター領域を自動的に設定する。そして、ブックセンター領域設定部９０２が設定した次頁のブックセンター領域に関する設定値は、ＣＰＵ８００を介して記録手段８０１に送信されて、設定用記録部８０３に記録される。
【０１０３】
一方の書籍原稿の次頁の画像データに対応する印刷領域が印刷領域設定部９０１によって設定され、ブックセンター領域がブックセンター領域設定部９０２によって自動的に設定されると、設定領域番号表示部８０６ｋに表示される設定領域番号は、番号順に自動的に変わるようにされており、他方の書籍原稿の次頁の画像データに対応する印刷領域の設定が可能状態になる。
【０１０４】
図６Ｂに示すように、ＣＰＵ８００は、表示手段８０７のデータ表示面上で、タッチペンなどの操作部材の先端で２点（８０７ｗおよび８０７ｘ）が押圧されて、次頁領域位置指定指示ボタン８０６ｊが押圧された場合に、２点（８０７ｗおよび８０７ｘ）を結ぶ線分を対角線とする矩形の領域を算出して、表示画像８０７ｏにおける他方の書籍原稿の次頁の画像データに対応する第２印刷領域８０７ｒを設定する。そして、印刷領域設定部９０１は、表示画像８０７ｏ内における第２印刷領域８０７ｒの相対位置および領域の大きさを、次頁の印刷領域に関する設定値として算出する。そして、印刷領域設定部９０１が設定した次頁の印刷領域に関する設定値は、ＣＰＵ８００を介して記録手段８０１に送信されて、設定用記録部８０３に記録される。
【０１０５】
次にブックセンター領域設定部９０２は、前述したステップｓ９において記録手段８０１の設定用記録部８０３に記録された、前頁のブックセンター領域に関する設定値に基づいて、第２印刷領域８０７ｒ内における第２ブックセンター領域８０７ｓの相対位置および領域の大きさを自動的に算出し、他方の書籍原稿の次頁の画像データに対応するブックセンター領域を自動的に設定する。そして、ブックセンター領域設定部９０２が設定した次頁のブックセンター領域に関する設定値は、ＣＰＵ８００を介して記録手段８０１に送信されて、設定用記録部８０３に記録される。
【０１０６】
次にステップａ４では、ＣＰＵ８００は、画像制御手段２５を制御して変換データ生成部９０５に、ステップａ３において印刷領域設定部９０１に設定させた印刷領域以外の外周領域と、ブックセンター領域設定部９０２に設定させたブックセンター領域とに対応した領域の可視画像データを、下地の色と同じ色の画像データに変換して変換データを生成させる。このとき、変換データ生成部９０５は、原稿の次頁の画像データを圧縮データに変換する所定の画像処理を施して変換データを生成する。そして、変換データ生成部９０５が生成した変換データは、ＣＰＵ８００を介して記録手段８０１に送信されて、印刷画像域記録部８０４に記録される。
【０１０７】
以上のようにして、変換データ生成部９０５が変換データを生成すると、図６Ｃに示すように、入力手段８０６の指示入力面に配置される指示ボタンのうち、領域設定解除指示ボタン８０６ｇと、キャンセル指示ボタン８０６ｉとが点灯しており、これらの点灯している指示ボタンのみが指示入力可能な状態である。
【０１０８】
次にステップａ５では、ＣＰＵ８００は、入力手段８０６により領域設定解除の指示が入力されたか否かを判断する。具体的には、ＣＰＵ８００は、領域設定解除指示ボタン８０６ｇの「する」側のボタンが押圧された場合には、領域設定解除の指示が入力されたと判断し、領域設定解除指示ボタン８０６ｇの「しない」側のボタンが押圧された場合には、領域設定解除の指示が入力されていないと判断する。ＣＰＵ８００が領域設定解除の指示が入力されたと判断するとステップａ６に進み、領域設定解除の指示が入力されていないと判断するとステップａ７に進み次頁が有ると判断し、ステップａ８へ進む。
【０１０９】
ステップａ６では、ＣＰＵ８００は、画像制御手段２５を制御して領域設定解除部９０４に、画像形成が実行されて複写物が得られた後に、印刷領域設定部９０１およびブックセンター領域設定部９０２が設定して設定用記録部８０３に記録される設定値が全て無効となるような設定をさせる。領域設定解除部９０４が領域設定解除に関する設定値を設定すると、図６Ｄに示すように、入力手段８０６の指示入力面に配置される指示ボタンのうち、コピー実行指示ボタン８０６ｈと、キャンセル指示ボタン８０６ｉとが点灯しており、これらの点灯している指示ボタンのみが指示入力可能な状態となる。
【０１１０】
次にステップａ８では、ＣＰＵ８００は、入力手段８０６によりコピー実行の指示が入力されたか否かを判断する。具体的には、ＣＰＵ８００は、入力手段８０６の指示入力面に配置されるコピー実行指示ボタン８０６ｈが押圧されることによって、コピー実行の指示が入力されたと判断し、入力手段８０６の指示入力面を、印刷部数、印刷画像濃度、印刷倍率などの通常印刷条件に関する指示を入力する画面に切替える。ＣＰＵ８００がコピー実行の指示が入力されたと判断するとステップａ９に進み、コピー実行の指示が入力されていないと判断するとステップａ８を繰り返す。
【０１１１】
ステップａ９では、ＣＰＵ８００は、コピー実行ボタン９１０が押圧されることによって、装置制御手段２４および画像制御手段２５を制御して、画像形成処理を実行させる。具体的には、ＣＰＵ８００は、印刷画像域記録部８０４に記録される変換データを画像制御手段２５に読み取らせる。変換データを読み取った画像制御手段２５は、画像形成ユニット２の光走査部２２に該変換データを送信する。そして、ＣＰＵ８００は、装置制御手段２４に画像形成ユニット２を制御させる。装置制御手段２４に制御された画像形成ユニット２では、光走査部２２が、帯電ローラ２０１によって均一に帯電された感光体ドラム２００上に、変換データを用いて静電潜像を書き込む。そして、現像手段２０２が感光体ドラム２００の表面に現像剤を供給して静電潜像を顕像化し、転写手段２０３が感光体ドラム２００上で顕像化された画像を記録紙上に転写し、定着部２３が記録紙上の転写画像を記録しに定着させて、原稿の次頁に対応する複写物を得る。
【０１１２】
本実施の形態における画像形成装置１では、原稿の次頁に対応する複写物を得る場合においても、変換データ生成部９０５は、印刷領域設定部９０１が設定した原稿の次頁の印刷領域以外の外周領域と、ブックセンター領域設定部９０２が自動的に設定した原稿の次頁のブックセンター領域とに対応した領域の可視画像データを、下地の色と同じ色の画像データに変換して変換データを生成するように構成されている。これによって、得られた次頁の複写物において、外周領域およびブックセンター領域に対応する、本来画像形成されるべきではない領域部分が、黒い影（可視画像）となって画像形成されるのを防止することができ、無駄な現像剤の消費を抑制することができるとともに、出力画像の美感を良好に保つことができる。
【図面の簡単な説明】
【０１１３】
【図１】本発明の実施の一形態である画像形成装置１の構成を示す図である。
【図２】画像形成装置１の電気的構成を示すブロック図である。
【図３】画像形成装置１における画像形成動作の流れを示すフローチャートである。
【図４Ａ】開状態画像形成モードに設定されている場合における、画像形成動作の流れを説明する図である。
【図４Ｂ】開状態画像形成モードに設定されている場合における、画像形成動作の流れを説明する図である。
【図４Ｃ】開状態画像形成モードに設定されている場合における、画像形成動作の流れを説明する図である。
【図４Ｄ】開状態画像形成モードに設定されている場合における、画像形成動作の流れを説明する図である。
【図４Ｅ】開状態画像形成モードに設定されている場合における、画像形成動作の流れを説明する図である。
【図４Ｆ】開状態画像形成モードに設定されている場合における、画像形成動作の流れを説明する図である。
【図４Ｇ】開状態画像形成モードに設定されている場合における、画像形成動作の流れを説明する図である。
【図４Ｈ】開状態画像形成モードに設定されている場合における、画像形成動作の流れを説明する図である。
【図４Ｉ】開状態画像形成モードに設定されている場合における、画像形成動作の流れを説明する図である。
【図５】開状態画像形成モードに設定されている場合における、繰り返して印刷実行される次頁以降の画像形成動作の流れを示すフローチャートである。
【図６Ａ】開状態画像形成モードに設定されている場合における、繰り返して印刷実行される次頁以降の画像形成動作の流れを説明する図である。
【図６Ｂ】開状態画像形成モードに設定されている場合における、繰り返して印刷実行される次頁以降の画像形成動作の流れを説明する図である。
【図６Ｃ】開状態画像形成モードに設定されている場合における、繰り返して印刷実行される次頁以降の画像形成動作の流れを説明する図である。
【図６Ｄ】開状態画像形成モードに設定されている場合における、繰り返して印刷実行される次頁以降の画像形成動作の流れを説明する図である。
【図７】従来技術の影消去機能を有する画像処理装置を備えた画像形成装置における、操作パネル９５０の一例を示す図である。
【符号の説明】
【０１１４】
１  画像形成装置
２  画像形成ユニット
３  スキャナ部
２０  電子写真プロセス部
２１  記録紙供給部
２２  光走査部
２３  定着部
２４  装置制御手段
２５  画像制御手段
３０  原稿載置台
８００  ＣＰＵ
８０１  記録手段
８０６  入力手段
８０７  表示手段
８０８  検出手段
９０１  印刷領域設定部
９０２  ブックセンター領域設定部
９０３  次頁設定部
９０４  領域設定解除部
９０５  変換データ生成部
【図１】
2010130117.tif 000003
【図２】
2010130117.tif 000004
【図３】
2010130117.tif 000005
【図４Ａ】
2010130117.tif 000006
【図４Ｂ】
2010130117.tif 000007
【図４Ｃ】
2010130117.tif 000008
【図４Ｄ】
2010130117.tif 000009
【図４Ｅ】
2010130117.tif 000010
【図４Ｆ】
2010130117.tif 000011
【図４Ｇ】
2010130117.tif 000012
【図４Ｈ】
2010130117.tif 000013
【図４Ｉ】
2010130117.tif 000014
【図５】
2010130117.tif 000015
【図６Ａ】
2010130117.tif 000016
【図６Ｂ】
2010130117.tif 000017
【図６Ｃ】
2010130117.tif 000018
【図６Ｄ】
2010130117.tif 000019
【図７】
2010130117.tif 000020